(57)【要約】【課題】  効率良く冷却或いは加熱でき、保冷状態或いは保温状態の維持等が効率良く行え、庫内温度の均一化がスムーズに行え、在庫量を外部から簡単に確認でき、断熱性の優れた透明窓部となり、庫内温度を容易に把握でき、取扱いが容易となり、使い勝手に優れ、構成簡素で、製造し易く、量産に適し、製造コスト等を低減でき、経済的に優れたおしぼり用温冷蔵庫を提供する。【解決手段】  本体１前面の開閉扉５に設けた透明窓部６を、適宜間隔を隔てて配した二枚の透明板で構成し、庫内温度をデジタル表示する温度表示部３を設け、伝熱内ケース１０の上下方向略中央に伝熱棚板１１を連設し、伝熱棚板１１に複数の透孔１２を設け、複数のおしぼりを収容可能な収容カゴ１５を形成し、収容カゴ１５を、伝熱棚板１１で上下に仕切った伝熱内ケース１０内に、夫々取出し可能に収納できるよう構成する。【選択図】図３
0003103020.tif 000002
【実用新案登録請求の範囲】
【請求項１】
おしぼりを保冷状態或いは保温状態に管理できるおしぼり用温冷蔵庫であって、本体の前面に開閉扉を設け、この開閉扉に透明窓部を設けると共に、透明窓部を適宜間隔を隔てて配される二枚の透明板で構成し、本体に庫内温度をデジタル表示する温度表示部を設け、本体内に設けた伝熱内ケースの上下方向略中央に伝熱棚板を連設し、この伝熱棚板に複数の透孔を設け、複数のおしぼりを収容可能な収容カゴを形成し、この収容カゴを、伝熱棚板で上下に仕切られた伝熱内ケース内に、夫々取出し可能に収納できるよう構成したことを特徴とするおしぼり用温冷蔵庫。
【請求項２】
本体と開閉扉の下部接触部分の下方に、水滴受皿を取外し可能に設けたことを特徴とする請求項１記載のおしぼり用温冷蔵庫。
【請求項３】
本体の左右側壁外表面に前方に向って開口するような排気口を複数設けたことを特徴とする請求項１または請求項２記載のおしぼり用温冷蔵庫。
【考案の詳細な説明】
【技術分野】
【０００１】
本考案は、主に、飲食店等で利用されるおしぼりを保冷状態或いは保温状態に管理できるようにしたおしぼり用温冷蔵庫に係り、効率良く保冷状態或いは保温状態にでき、在庫量の確認が簡単に行え、複数のおしぼりの取扱いが容易となり、庫内温度を容易に把握できるようにすべく工夫されたおしぼり用温冷蔵庫に関するものである。
【背景技術】
【０００２】
従来のおしぼり用温冷蔵庫は、例えば、特許文献１に示すように、ボディーの前面に扉が設けられ、ボディー内には、ペルチェ素子によって加熱または冷却される内箱が設けられたものが開示されている。そして、複数のおしぼりを内箱内に積重ねるようにして加熱または冷却し、この状態を維持できるようになっている。
【０００３】
【特許文献１】特開平１１−１０８５２３号公報
【考案の開示】
【考案が解決しようとする課題】
【０００４】
しかしながら、特許文献１で開示されているようなおしぼり用温冷蔵庫にあっては、例えば、内箱内に積重ねられた複数のおしぼりを、効率良く冷却或いは加熱し難く、しかも、保冷状態或いは保温状態の維持等が効率良く行い難い難点があった。また、おしぼりの在庫量の確認が蓋を開けないと行えない難点や、内箱内に複数のおしぼりを単に積重ねているだけなので、その取扱いが不便である難点や、庫内温度が簡単に把握し難い等の難点等があった。
【０００５】
しかして、本考案は、前述の如き課題等を達成できるようにするのは勿論のこと、更に、使い勝手に優れ、構成が簡素で、製造し易く、量産に適し、製造コスト等を低減でき、経済的にも優れたおしぼり用温冷蔵庫を提供できるようにすべく案出されたものである。
【課題を解決するための手段】
【０００６】
そのため、本考案の請求項１にあっては、おしぼりを保冷状態或いは保温状態に管理できるおしぼり用温冷蔵庫であって、本体１の前面に開閉扉５を設け、この開閉扉５に透明窓部６を設けると共に、透明窓部６を適宜間隔を隔てて配される二枚の透明板で構成し、本体１に庫内温度をデジタル表示する温度表示部３を設け、本体１内に設けた伝熱内ケース１０の上下方向略中央に伝熱棚板１１を連設し、この伝熱棚板１１に複数の透孔１２を設け、複数のおしぼりを収容可能な収容カゴ１５を形成し、この収容カゴ１５を、伝熱棚板１１で上下に仕切られた伝熱内ケース１０内に、夫々取出し可能に収納できるよう構成する手段を採用した。
【０００７】
また、本考案の請求項２にあっては、本体１と開閉扉５の下部接触部分の下方に、水滴受皿７を取外し可能に設ける手段を採用した。
【０００８】
更に、本考案の請求項３にあっては、本体１の左右側壁外表面に前方に向って開口するような排気口８を複数設ける手段を採用した。
【考案の効果】
【０００９】
従って、本考案の請求項１記載のおしぼり用温冷蔵庫によれば、伝熱内ケース１０及び伝熱棚板１１によって、複数のおしぼりを効率良く冷却或いは加熱でき、しかも、保冷状態或いは保温状態の維持等が効率良く行えるものとなる。
更に、伝熱棚板１１に複数の透孔１２を設けたので、庫内温度の均一化がスムーズに行えるようになる。
また、開閉扉５に透明窓部６を設けると共に、透明窓部６を適宜間隔を隔てて配される二枚の透明板で構成したので、開閉扉５を開けなくともおしぼりの在庫量を外部から簡単に確認できると共に、断熱性の優れた透明窓部６となる。
そして、本体１に庫内温度をデジタル表示する温度表示部３を設けたので、庫内温度を容易に把握できるようになる。
特に、複数のおしぼりを収容可能な収容カゴ１５を形成し、この収容カゴ１５を、伝熱棚板１１で上下に仕切られた伝熱内ケース１０内に、夫々取出し可能に収納できるよう構成したので、複数のおしぼりの取扱いが容易となり、使い勝手の優れたおしぼり用温冷蔵庫となる。
しかも、構成が簡素で、製造し易く、量産に適し、製造コスト等を低減でき、経済的にも優れたおしぼり用温冷蔵庫となる。
【００１０】
また、本考案の請求項２記載のおしぼり用温冷蔵庫によれば、開閉扉５の内表面や伝熱内ケース１０の内表面に付着した水滴が、開閉扉５の開閉時に外部に零れた場合であっても、これを水滴受皿７で確実に受けることができるようになる。しかも、水滴受皿７で受けて溜まった水滴を簡単に処理できるようになる。
【００１１】
更に、本考案の請求項３記載のおしぼり用温冷蔵庫によれば、排気が排気口８からスムーズに行われるようになり、冷却加熱手段の能力が十分発揮できるようになる。しかも、比較的狭い場所におしぼり用温冷蔵庫を設置しても排気が排気口８からスムーズに行われ、冷却加熱手段の能力が十分発揮できる。
【考案を実施するための最良の形態】
【００１２】
以下、本考案を図示例に基づいて説明すると、次の通りである。
本考案のおしぼり用温冷蔵庫は、例えば、本体１に内蔵された冷却加熱手段によって、本体１内に設けた伝熱内ケース１０及びこの伝熱内ケース１０に連結されている伝熱棚板１１を、冷却或いは加熱できるようにしたもので、この伝熱内ケース１０及び伝熱棚板１１の冷却或いは加熱によって、複数のおしぼりを効率良く冷却或いは加熱すると共に、複数のおしぼりの保冷状態或いは保温状態を安定的に且つ効率良く維持できるよう構成されたものである。
【実施例】
【００１３】
そして、図に示すおしぼり用温冷蔵庫は、前面部分が開口されている略矩形箱状の本体１と、この本体１前面の開口部分を開閉自在となるように形成される透明窓部６付きの開閉扉５と、本体１に内蔵される冷却加熱手段と、庫内温度をデジタル表示する温度表示部３と、本体１内に設けられると共に前面が開口されている略矩形箱状の伝熱内ケース１０と、伝熱内ケース１０の上下方向略中央に連設されると共に、複数の透孔１２が設けられている伝熱棚板１１と、複数のおしぼりを収容可能で、且つ伝熱棚板１１で上下に仕切られた伝熱内ケース１０内に、夫々取出し可能に収納できる収容カゴ１５と、本体１と開閉扉５の下部接触部分の下方に取外し可能に設けられる水滴受皿７とを備えている。
【００１４】
しかも、前記冷却加熱手段は、例えば、ペルチェ素子を利用したものが利用され、伝熱内ケース１０の後板の背面部分に配されており、伝熱内ケース１０及び伝熱棚板１１を冷却或いは加熱できるように構成されている。
【００１５】
また、前記本体１は、例えば、金属製（金属製でなくても良い）外ケースと伝熱内ケース１０の間に適宜断熱材を配するようにして構成されており、庫内と外部とで優れた断熱効果を発揮できるように形成してある。
【００１６】
図中２は、例えば、本体１の前面上部に配されているスイッチを示し、このスイッチ２は、冷却加熱手段のＯＮ・ＯＦＦ及び冷却或いは加熱の切換が簡単に行えるように構成されている。
【００１７】
前記温度表示部３は、例えば、本体１の前面上部に配されており、庫内に設けたセンサーで検知した庫内温度をデジタル表示できるように構成されている。すなわち、庫内温度（おしぼりの温度）を誰でも容易に把握できるよう形成されている。
【００１８】
図中４は、例えば、本体１底面の前がわ左右と後がわ左右に配される脚部で、この脚部４は、おしぼり用温冷蔵庫自体の座りが良くなり、設置時の安定的が良くなるように形成されたものである。しかも、本体１下方にある程度の隙間空間を設けることができて、水滴受皿７を配置できるように配慮してある。
【００１９】
前記開閉扉５は、例えば、金属製（樹脂製或いは一部樹脂製でも良い）の略矩形中空厚板状に形成され、その下端縁がわ左右に配されるヒンジが揺動支点となって上下方向に揺動開閉するよう構成されている。
【００２０】
更に、前記透明窓部６は、例えば、開閉扉５の中央部分に比較的大きな矩形状に設けられており、本体１内が外部から良く見えるように形成されている。しかも、透明窓部６は、合成樹脂板材或いは硝子板材からなる二枚の矩形状透明板を適宜間隔を隔てて配することで構成されている。すなわち、透明窓部６に於ける断熱性能が向上するように形成してある。
【００２１】
前記水滴受皿７は、例えば、適宜合成樹脂材（或いは、適宜金属材）によって一体的な略受皿状に形成されており、本体１と開閉扉５の下部接触部分を上方から見て囲むように形成されていると共に、この下部接触部分の下方に取外し可能に設けられている。すなわち、開閉扉５の内表面や伝熱内ケース１０の内表面に付着した水滴が、開閉扉５の開閉時に外部に零れた場合に、これを確実に受けることができるように構成されている。しかも、水滴受皿７には、前がわ左右の脚部４に前方から着脱自在に装着できるような嵌合凹部が形成されており、溜まった水滴を処理する際に脚部４から簡単に取外せるように構成されている。
【００２２】
図中８は、例えば、本体１の左右側壁の後寄り外表面部分に複数設けられた排気口で、この排気口８は、前方に向って開口するように形成されて、冷却加熱手段に付設されたファンによる排気がスムーズに行われて、冷却加熱手段の冷却加熱能力が十分発揮できるように構成してある。
【００２３】
また、前記伝熱内ケース１０は、例えば、熱伝導率の高い金属材によって前面が開口された略箱状に形成されている。
【００２４】
そして、前記伝熱棚板１１は、例えば、熱伝導率の高い金属材によって略板状に形成されており、伝熱内ケース１０の上下方向略中央に連設されている。具体的には、伝熱棚板１１は、水平基板の左右側縁及び後縁に略帯板状の垂片を連設して形成されており、垂片を伝熱内ケース１０にリベット止め（或いはネジ止め、溶接手段でも良い）することで、伝熱棚板１１が伝熱内ケース１０に安定的且つ強固に固定されると共に、伝熱内ケース１０からの熱がスムーズに伝熱棚板１１に伝達されるように構成してある。
【００２５】
しかも、前記透孔１２は、伝熱棚板１１の水平基板部分に複数穿設されており、庫内温度の均一化がスムーズに行えるようにしてある。
【００２６】
前記収容カゴ１５は、例えば、複数のおしぼりを収容可能に形成されると共に、適宜金属線材を用いて前部と上部が開放されているような略カゴ状に組立てられており、伝熱棚板１１で上下に仕切られた伝熱内ケース１０内に、夫々取出し可能に収納できるよう構成されている。
【００２７】
図中１６は、収容カゴ１５の底部左右に連設されている適宜金属線材で構成された脚部で、この脚部１６は、収容カゴ１５の本体部分が伝熱内ケース１０底板部や伝熱棚板１１に対して若干浮くように設けられたものである。すなわち、収容カゴ１５に収容されている複数のおしぼりを均一に且つ効率良く冷却或いは加熱できるように形成されている。
【００２８】
尚、本体１と庫内に光触媒を利用した殺菌処理手段等を施しておいて、その殺菌処理効果によるおしぼりからの臭いの発生防止等が図れるようにしてあっても良い。
【００２９】
ところで、おしぼり用温冷蔵庫の具体的構成、形状、寸法、冷却加熱手段の具体的構成、本体１の具体的構成、形状、寸法、材質、スイッチ２の具体的構成、形状、寸法、配設位置、温度表示部３の具体的構成、形状、寸法、配設位置、脚部４の具体的構成、形状、寸法、材質、配設位置、数、開閉扉５の具体的構成、形状、寸法、材質、開閉方向、透明窓部６の具体的構成、形状、寸法、材質、配設位置、水滴受皿７の具体的構成、形状、寸法、材質、配設位置、排気口８の具体的構成、形状、寸法、配設位置、数、伝熱内ケース１０の具体的構成、形状、寸法、材質、伝熱棚板１１の具体的構成、形状、寸法、材質、配設位置、伝熱内ケース１０への具体的固定手段、透孔１２の具体的構成、形状、寸法、数、配設位置、収容カゴ１５の具体的構成、形状、寸法、材質、脚部１６の具体的構成、形状、寸法、材質等は図示例のもの等に限定されることなく、適宜自由に設定、変更できるものである。
【図面の簡単な説明】
【００３０】
【図１】本考案のおしぼり用温冷蔵庫を例示する分解斜視図である。
【図２】本考案のおしぼり用温冷蔵庫を例示する一部切欠正面図である。
【図３】本考案のおしぼり用温冷蔵庫を例示する一部切欠側面図である。
【符号の説明】
【００３１】
１    本体                ２    スイッチ
３    温度表示部          ４    脚部
５    開閉扉              ６    透明窓部
７    水滴受皿            ８    排気口
１０  伝熱内ケース        １１  伝熱棚板
１２  透孔
１５  収容カゴ            １６  脚部
【図１】
0003103020.tif 000003
【図２】
0003103020.tif 000004
【図３】
0003103020.tif 000005